(57)【特許請求の範囲】
【請求項１】
次の構成を具備することを特徴とする棚板。
（i）  棚本体の取付穴に挿入される取付部が外周側に突出して設けられていること。
（ii）  この取付部は、その突出方向に延びる一対の切り込みと、この切り込みの外側に位置する固定係止片と、上記切り込みによりバネ性を付与されて上下方向に可撓変形しうるように構成された弾性係止片とを備えていること。
（iii）  この弾性係止片に、上記取付穴の裏側に係止して抜け止め作用をなす突起が、弾性係止片の自然状態で上記固定係止片の上面よりも上方に突出し、弾性係止片が下向きに撓んだ状態で固定係止片の上面よりも下方に沈む状態で設けられていること。
（iv）  周縁部下面に、上記取付部が取付穴に挿入された状態で棚本体の内周面に当接しうる支持部が下向きに突設されていること。
【請求項２】
突起の上面が先下がりの傾斜面に形成されたことを特徴とする請求項１記載の棚板。
【請求項３】
棚本体に取付穴が設けられ、請求項１または２記載の棚板の取付部がこの取付穴に挿入されて棚板が棚本体に取付けられるように構成されたことを特徴とする棚板取付装置。
【請求項４】
棚板を含む棚全体が平面視円形に形成され、支持部が棚本体の内周面に面当接しうる円弧状に形成されたことを特徴とする請求項３記載の棚板取付装置。
【発明の詳細な説明】
【０００１】
【発明の属する技術分野】
本発明は各種物品収納棚、陳列棚、保管庫等に使用される棚板および棚板取付装置に関するものである。
【０００２】
【従来の技術】
従来、棚板を片持ち状態で取付ける場合の棚板の取付方式として、棚板の周縁部に取付部を外周側に突出して設け、この取付部を、棚本体の周壁に設けられた四角形その他の取付穴に挿入し係止させるものが広く知られている。
【０００３】
この方式においては、取付部が取付穴から離脱しないように抜け止め手段を講じる必要があり、その手段としてたとえば取付部を上向きまたは下向きの鈎形に屈曲させたり、上面に抜け止め用の突起を設けたりしている。
【０００４】
【発明が解決しようとする課題】
ところが、従来の棚板取付構造によると、取付穴を、抜け止め部分が通過しうるように取付部よりも大きめに形成しなければならないため、取付状態で取付部分に比較的大きなクリアランスが残り、このクリアランスの範囲で棚板ががたついたり、傾斜したり、振動したりするとともに、抜け止め部分が外れて棚板が脱落するおそれがある等、取付状態が不安定となる問題があった。
【０００５】
なお、この取付力を強化するために、
▲１▼  棚本体側に別途、棚板受け具を取付け、棚板を複数個所でこの棚板受け具によって支持する手段、
▲２▼  取付穴を極力小さくして取付部を取付穴に強引に押し込む手段
をとることが考えられる。しかし、▲１▼の手段では部品点数が増加して構造が複雑化し、▲２▼の手段では棚板の取付け、取外しが面倒となる等の弊害が生じるため得策でない。
【０００６】
そこで本発明は、上記棚板受け具のような余分な部品を付加しないこと、および着脱操作が容易であることを前提として、堅固で安定した棚板取付状態を得ることができる棚板および棚板取付装置を提供するものである。
【０００７】
【課題を解決するための手段】
請求項１の発明（棚板）は、次の構成を具備するものである。
【０００８】
（i）  棚本体の取付穴に挿入される取付部が外周側に突出して設けられていること。
【０００９】
（ii）  この取付部は、その突出方向に延びる一対の切り込みと、この切り込みの外側に位置する固定係止片と、上記切り込みによりバネ性を付与されて上下方向に可撓変形しうるように構成された弾性係止片とを備えていること。
【００１０】
（iii）  この弾性係止片に、上記取付穴の裏側に係止して抜け止め作用をなす突起が、弾性係止片の自然状態で上記固定係止片の上面よりも上方に突出し、弾性係止片が下向きに撓んだ状態で固定係止片の上面よりも下方に沈む状態で設けられていること。
【００１１】
（iv）  周縁部下面に、上記取付部が取付穴に挿入された状態で棚本体の内周面に当接しうる支持部が下向きに突設されていること。
【００１２】
請求項２の発明は、請求項１の構成において、突起の上面が先下がりの傾斜面に形成されたものである。
【００１３】
請求項３の発明（棚板取付装置）は、棚本体に取付穴が設けられ、請求項１または２記載の棚板の取付部がこの取付穴に挿入されて棚板が棚本体に取付けられるように構成されたものである。
【００１４】
請求項４の発明は、請求項３の構成において、棚板を含む棚全体が平面視円形に形成され、支持部が棚本体の内周面に面当接しうる円弧状に形成されたものである。
【００１５】
上記構成によると、突起が固定係止片の上面よりも下方に沈むように弾性係止片を下向きに可撓変形させることにより、取付部を無理なく取付穴に挿入し、あるいは取付穴から抜き出すことができる。
【００１６】
そして、挿入後は、弾性係止片の突起が取付穴の裏側で棚本体に係止して抜け止め作用を発揮する一方で、固定係止片と支持部が荷重（棚板重量および載置された物品の重量）を支持する。
【００１７】
従って、
▲１▼  取付状態で取付穴に対する固定係止片の挿入部分に生じるクリアランスを最小限に小さくすることができる。
【００１８】
▲２▼  上記クリアランスの範囲での棚板の上下方向の動き（がたつきや傾き）が支持部によって抑えられる。
【００１９】
▲３▼  支持部によって棚板の撓みも抑制することができる。
【００２０】
このため、堅固で安定した棚板取付状態を得ることができる。
【００２１】
とくに、請求項４の棚板取付装置によると、
（イ）支持部と棚本体が円の曲面同士で面当接することによって棚板の水平各方向の動きが止められること、
（ロ）荷重が広い面積範囲で分散されること、
（ハ）支持部そのものが円弧状であることによって高強度を付与され、荷重支持力がより高くなること
により、棚板の取付状態がより安定したものとなる。
【００２２】
また、請求項２の構成によると、取付部を取付穴に挿入する際に、突起上面の傾斜面のガイド作用によって弾性係止片に下向きの力が作用するため、弾性係止片を自動的に、あるいは同係止片を手で下向きに押え込むにしても小さな力で撓ませて取付穴に簡単に挿入することができる。
【００２３】
【発明の実施の形態】
本発明の実施形態を図によって説明する。
【００２４】
この実施形態では、一般家庭等において複数の時計を上下に並べて保管しておく時計保管庫を適用対象として例にとっている。
【００２５】
図１にこの時計保管庫の全体構成を示している。
【００２６】
この保管庫は、いずれも通常はアクリル樹脂等のプラスチックにて形成される保管庫本体（棚本体）１、この保管庫本体１の前面開口部を開閉する扉２、保管庫本体１内に上下複数段にかつ任意の高さ位置に取付けられる棚板３によって構成される。４は保管庫本体１の基台、５は扉２のヒンジ部、６は扉２の開閉用の取手部である。
【００２７】
保管庫本体１および扉２は相対応する半円筒状に、また棚板３はこれらに内接しうる平面視円形（円板状）に形成され、扉２を閉じた状態で保管庫全体が円筒状となる。
【００２８】
棚板３の取付構造を説明する。
【００２９】
保管庫本体１の背面側に、上下方向の間隔をおいて横長溝穴状の複数の取付穴７…が設けられ、棚板３の周縁部一個所に外周側に突出して設けられた取付部８が、任意の高さ位置でこの取付穴７に挿入されることによって棚板３が保管庫本体１に取付けられる。
【００３０】
取付部８は、図示のように全体として半円形に形成され、その突出方向に延びる一対の切り込み９，９を有している。
【００３１】
この切り込み９，９は、取付部８を厚み方向に貫通しかつ一端が取付部８の先端で外周に開口する溝穴状に形成され、この両切り込み９，９の外側に、棚板取付状態で荷重支持部分となる扇形の固定係止片１０，１０、内側に弾性係止片１１がそれぞれ形成されている。
【００３２】
弾性係止片１１は、切り込み９，９によって厚み方向のバネ性を付与され、上下に弾性（可撓）変形しうるようになっている。
【００３３】
この弾性係止片１１の上面に突起１２が設けられ、後述するように棚板取付状態でこの突起１２によって棚板３の抜け止め作用が行われる。
【００３４】
突起１２は、根元側がほぼ垂直に立上り、上面１２ａが先下がりに傾斜する側面視ほぼ直角三角形（逆止突起状）に形成されている。
【００３５】
ここで、突起１２を含めた弾性係止片１１全体の厚み寸法は固定係止片１０，１０の厚み寸法とほぼ同じで、外力を加えない自然状態で突起１１のみが固定係止片１０，１０の上面よりも上方に突出し、下方に撓んだ状態で突起１１が固定係止片１０，１０の上面よりも下方に沈むように構成されている。
【００３６】
さらに、棚板周縁部における取付部８の両側下面に支持部１３，１３が下向きに突設されている。
【００３７】
この支持部１３，１３は、平面視で円形棚板３の外輪郭に沿う円弧状に形成され、棚板取付状態でこの支持部１３，１３が保管庫本体１の内周面に面当接して棚板荷重を支持する。
【００３８】
なお、棚板３の上面に、被載置物品である時計（図１に示す）Ｗの動きをある程度抑えて所謂すわりを良くしかつその置き場所と向きの指標となる凸部１４と浅い凹部１５が設けられている。
【００３９】
棚板３を取付けるときは、図４に示すように手指で弾性係止片１１を上から押さえ込むようにして下方に撓ませることにより、突起１２を固定係止片１０，１０の厚み内に下げた状態で取付部８を取付穴７に挿入する。
【００４０】
なお、このとき、上記のように弾性係止片１１を手で押さえ込む操作を行うにしても、あるいはこのような操作を行わなくても、先下がりに傾斜した突起上面１２ａのガイド作用によって弾性係止片１１に下向きに撓む力が作用するため、同係止片１１を取付穴７に無理なく挿入することができる。
【００４１】
突起１２が取付穴７を通過すると、弾性係止片１１が原位置に復帰して突起１２が取付穴７の裏側上縁部に係止して抜け止め機能が働く。
【００４２】
そして、このとき、取付穴７内に挿入された固定係止片１０，１０と、保管庫本体１の内周面に当接した支持部１３，１３とによって棚板荷重（棚板重量および載置された時計重量）が支持される。
【００４３】
従って、この棚板取付構造によると、
▲１▼  取付穴７に対する固定係止片１０，１０の挿入部分に生じるクリアランスを最小限に小さくすることができる（余分なクリアランスが不要となる）
▲２▼  上記クリアランスの範囲での棚板３の上下方向のがたつきや傾きが支持部１３，１３によって抑えられる。
【００４４】
しかも、
▲３▼  支持部１３，１３によって棚板３の撓みも抑制することができる。
【００４５】
▲４▼  支持部１３，１３と保管庫本体１が円の曲面同士で面当接するため、棚板の水平各方向の動きが止められるとともに、荷重が広い面積範囲で分散される。
【００４６】
▲５▼  支持部１３，１３そのものが円弧状であることによって高強度を付与され、荷重支持力がより高くなる。
【００４７】
以上の点により、棚板３の取付状態が非常に安定したものとなる。
【００４８】
他の実施形態
（１）上記実施形態では、棚板３の取付部８を平面視ほぼ半円形に形成したが、平面視四角形（正方形、長方形等）に形成してもよい。
【００４９】
（２）上記実施形態では、弾性係止片１１の突起１２を直角三角形（逆止突起状）に形成したが、正三角形や四角形の凸状に形成してもよい。
【００５０】
（３）上記実施形態では、全体が円筒状でかつ扉付きの保管庫に使用される円形の棚板３を例に挙げたが、全体が平面視四角形の扉付きまたは扉の無い保管庫に使用されれる四角形の棚板にも適用することができる。また上記実施形態で挙げた時計保管庫に限らず、ライターを上下複数段に保管するライター保管庫その他の保管庫、各種物品の収納棚、陳列棚等の棚全般、そして扉のないものにも適用することができる。
【００５１】
【発明の効果】
上記のように本発明によるときは、棚板に、固定係止片、および切り込みによってバネ性を付与されて上下方向に可撓変形しうる抜け止め突起付きの弾性係止片を備えた取付部と、棚本体の内周面に当接しうる支持部とを設け、弾性係止片によって抜け止め機能を果たしつつ固定係止片と支持部とによって棚板荷重を支持する構成としたから、棚板受け具のような余分な部品を付加せず、かつ着脱操作が容易でありながら、棚板のがたつきや傾き、撓みを抑制して堅固で安定した棚板取付状態を得ることができる。
【００５２】
とくに、請求項４の棚板取付装置によると、
（イ）支持部と棚本体が円の曲面同士で面当接することによって棚板の水平各方向の動きが止められること、
（ロ）荷重が広い面積範囲で分散されること、
（ハ）支持部そのものが円弧状であることによって高強度を付与され、荷重支持力がより高くなること
により、棚板の取付状態がより安定したものとなる。
【００５３】
また、請求項２の発明によると、取付部を取付穴に挿入する際に、突起上面の傾斜面のガイド作用によって弾性係止片に下向きの力が作用するため、弾性係止片を自動的に、あるいは同係止片を手で下向きに押え込むにしても小さな力で撓ませて取付穴に簡単に挿入することができる。
【図面の簡単な説明】
【図１】本発明の実施形態にかかる時計保管庫の扉を開けた状態の斜視図である。
【図２】同保管庫の扉を閉じた状態の水平断面図である。
【図３】図２のIII−III線断面図である。
【図４】棚板取付時において図３の状態に至る前の状態の図３相当図である。
【図５】棚板の斜視図である。
【符号の説明】
１  保管庫本体（棚本体）
３  棚板
７  取付穴
８  取付部
９，９  切り込み
１０，１０  固定係止片
１１  弾性係止片
１２  突起
１２ａ  突起の上面
１３，１３  支持部
【図１】
0004227685.tif 000002
【図２】
0004227685.tif 000003
【図３】
0004227685.tif 000004
【図４】
0004227685.tif 000005
【図５】
0004227685.tif 000006